【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
長手方向を規定する長手方向軸（Ａ）を備えた略円筒形状を有する歯科インプラント（１，１’）であって、
歯科インプラント（１，１’）の歯冠端部を含む歯冠セクション（１１）と、
歯冠セクション（１１）から歯科インプラント（１）の根尖先端（１５）まで根尖側に延びるねじ領域（１４）と、
２次部品との接続のための内部ブラインド穴であって、歯科インプラント（１，１’）の歯冠端部から根尖側に延びる安定化セクション（１６）、および安定化セクション（１６）の根尖端部から根尖側に延びる駆動割出しセクション（１７）を含む、内部ブラインド穴とを含み、
駆動割出しセクション（１７）には、凹形状を有し、長手方向に延びる複数の接続ローブ（１７１）が設けられ、
接続ローブ（１７１）は、長手方向に延びる個々のローブ連結領域（１７２）によって相互接続され、
ローブ連結領域（１７２）の各々は、長手方向に延びる、個々の接続ローブ（１７１）に近接する２つの凸部（１７４）と、２つの凸部（１７４）の間で長手方向に延びる凹部（１７５）とを含む、歯科インプラント（１，１’）。
【請求項２】
内部ブラインド穴はさらに、駆動割出しセクション（１７）の根尖端部から根尖側に延びる根尖雌ねじセクション（１８）を含む、請求項１に記載の歯科インプラント（１，１’）。
【請求項３】
接続ローブ（１７１）およびローブ連結領域（１７２）の両方は、駆動割出しセクション（１７）の軸方向延長部全体に実質的に沿って延びている、請求項１または２に記載の歯科インプラント（１，１’）。
【請求項４】
各ローブ連結領域（１７２）は、段差状の構成を有する根尖部分（１７３）を含む、請求項１〜３のいずれかに記載の歯科インプラント（１，１’）。
【請求項５】
根尖部分（１７３）は、歯科インプラント（１，１’）の軸（Ａ）と一致する軸を有する側円筒面の一部である側面（１７３１）を有し、
側面（１７３１）には、歯科インプラント（１，１’）の軸（Ａ）に向かって半径方向に延びるレッジ（１７３２）が設けられる、請求項４に記載の歯科インプラント（１，１’）。
【請求項６】
根尖部分（１７３）は、歯冠側に広がる、歯科インプラント（１，１’）の軸（Ａ）と一致する軸を有する円錐台表面の一部である側面（１７３１）を有し、
側面（１７３１）には、歯科インプラント（１，１’）の軸に向かって半径方向に延びるレッジ（１７３２）が設けられる、請求項４に記載の歯科インプラント（１，１’）。
【請求項７】
レッジ（１７３２）は、歯科インプラント（１，１’）の軸（Ａ）に略垂直な半径方向に延びている、請求項５または６に記載の歯科インプラント（１，１’）。
【請求項８】
レッジ（１７３２）は、歯科インプラント（１，１’）の軸（Ａ）に対して根尖側に傾斜した半径方向に延びている、請求項５または６に記載の歯科インプラント（１，１’）。
【請求項９】
接続ローブ（１７１）は、歯科インプラント（１，１’）の軸（Ａ）に対して平行な側面領域を備えた個々の円筒の一部であり、好ましくは、円筒部分は半円筒である、請求項１〜８のいずれかに記載の歯科インプラント（１，１’）。
【請求項１０】
ローブ連結領域（１７２）の凸部および凹部（１７４、１７５）は、歯科インプラント（１，１’）の軸（Ａ）に対して平行な側面領域を備えた個々の円筒の一部である、請求項１〜９のいずれかに記載の歯科インプラント（１，１’）。
【請求項１１】
略円形状プラットフォーム（１７７）が、安定化セクション（１６）の根尖端部に近接する駆動割出しセクション（１７）の歯冠端部に設けられ、好ましくは、略円形状プラットフォーム（１７７）は、ローブ連結領域（１７２）の半径方向に突出した歯冠部分によって形成される、請求項１〜１０のいずれかに記載の歯科インプラント（１，１’）。
【請求項１２】
接続ローブ（１７１）の数およびローブ連結領域（１７２）の数は、６に等しい、請求項１〜１１のいずれかに記載の歯科インプラント（１，１’）。
【請求項１３】
安定化セクション（１６）は、歯冠方向に広がる円錐台であって、歯科インプラント（１，１’）の軸（Ａ）に対して５度〜７．９度、より好ましくは５度〜７．７度、さらにより好ましくは５度〜７度、最も好ましくは７度の角度を有する歯冠開口を備えた円錐台として成形される、請求項１〜１２のいずれかに記載の歯科インプラント（１，１’）。
【請求項１４】
歯冠セクション（１１）は、その外側部分において、歯科インプラント（１，１’）の歯冠端部から根尖方向に延びる円滑セクション（１２）と、
円滑セクション（１２）の根尖端部からねじ領域（１４）の歯冠端部まで根尖方向に延びるねじセクション（１３）を含み、
ねじセクション（１３）は、２次部品を歯科インプラント（１，１’）の外側部分に固定するように構成され、及び／又は、ねじセクションは、逆ねじを含み、及び／又は、ねじセクション（１３）は、歯科インプラント（１，１’）のオッセオインテグレーションを促進するように構成される、請求項１〜１３のいずれかに記載の歯科インプラント（１，１’）。
【請求項１５】
歯科インプラント（１，１’）の歯冠セクション（１１）の円滑セクション（１２）は、歯科インプラント（１，１’）の歯冠端部の近傍にベベル部分（１２１）を備え、
ベベル部分（１２１）は、その周辺において根尖側に傾斜している、請求項１４に記載の歯科インプラント（１，１’）。
【請求項１６】
ベベル部分（１２１）は、歯科インプラント（１，１’）の軸（Ａ）に垂直な面に対して１７〜２７度の角度、より好ましくは２０〜２４度の角度、最も好ましくは２２．５度の角度を形成する、請求項１５に記載の歯科インプラント（１，１’）。
【請求項１７】
歯科インプラント（１，１’）の歯冠端部は、ベベル部分（１２１）に近接する平坦な肩部（１２２）によって画定され、平坦な肩部（１２２は、好ましくは、歯科インプラント（１，１’）の軸（Ａ）に垂直な面上にあり、さらに好ましくは、歯科インプラント（１，１’）の軸（Ａ）から延びる半径に沿って、平坦な肩部（１２２）の半径方向幅と、半径上のベベル部分（１２１）の突起の半径方向幅との比率は、１／５〜１／３である、請求項１５または１６に記載の歯科インプラント（１，１’）。
【請求項１８】
アンダーカット（１７６）が、駆動割出しセクション（１７）の根尖端部に設けられる、請求項１〜１７のいずれかに記載の歯科インプラント（１，１’）。
【請求項１９】
アンダーカット（１７６）が、駆動割出しセクション（１７）の根尖端部と根尖雌ねじセクション（１８）の歯冠プラットフォーム（１８１）との間に設けられる、請求項２〜１７のいずれかに記載の歯科インプラント（１，１’）。
【請求項２０】
アンダーカット（１７６）が、ローブ連結領域（１７２）の根尖部分のレッジ（１７３２）の下方に、歯科インプラント（１，１’）の内部ブラインド穴の根尖雌ねじセクション（１８）の歯冠プラットフォーム（１８１）まで延びている、請求項８〜１７のいずれかに記載の歯科インプラント（１，１’）。
【請求項２１】
歯冠プラットフォーム（１８１）は、歯科インプラント（１，１’）の軸（Ａ）に垂直な面上に延びている、請求項１９または２０に記載の歯科インプラント（１，１’）。
【請求項２２】
アンダーカット（１７６）は、歯科インプラント（１，１’）の駆動割出しセクション（１７）の接続ローブ（１７１）において減少した延長部を有する、請求項１８〜２１のいずれかに記載の歯科インプラント（１，１’）。
【請求項２３】
ねじ領域（１４）は、少なくとも１つの溝（１４１、１４１’）を含み、
該少なくとも１つの溝（１４１、１４１’）は、好ましくは、歯科インプラント（１，１’）が時計回りおよび反時計回りの両方向に回転する場合、骨を粉砕し、骨を収集し、骨を凝縮し、骨を分散させるように構成され、及び／又は、好ましくは、歯科インプラント（１，１’）のねじ領域（１４）のねじ（１４２）は、ヘリカル形状を有する、請求項１〜２２のいずれかに記載の歯科インプラント（１，１’）。
【請求項２４】
歯科インプラント（１，１’）のための２次部品（２，２’）であって、
２次部品（２，２’）は、その長手方向軸（Ａ）に沿って延びる中央穴（２２１）を有し、長手方向軸（Ａ）は長手方向を規定しており、
２次部品（２，２’）は、２次部品（２，２’）の歯冠端部を含む歯冠セクション（２１）と、
歯冠セクション（２１）の根尖端部から根尖側に延びる安定化セクション（２２）と、
安定化セクション（２２）の根尖端部から根尖側に延びる割出しセクション（２３）とを含み、
割出しセクション（２３）には、凹形状を有し、長手方向に延びる複数の接続ローブ（２７１）が設けられ、
接続ローブ（２７１）は、長手方向に延びる個々のローブ連結領域（２７２）によって相互接続され、
ローブ連結領域（２７２）の各々は、長手方向に延びる、個々の接続ローブ（２７１）に近接する２つの凹部（２７４）と、２つの凹部（２７４）の間で長手方向に延びる凸部（２７５）とを含む、２次部品（２，２’）。
【請求項２５】
接続ローブ（２７１）およびローブ連結領域（２７２）の両方は、割出しセクション（２３）の軸方向延長部全体に実質的に沿って延びている、請求項２４に記載の２次部品（２，２’）。
【請求項２６】
接続ローブ（２７１）は、２次部品（２，２’）の軸（Ａ）に平行な側面領域を備えた個々の円筒の一部であり、好ましくは、円筒部分は半円筒である、請求項２４または２５に記載の２次部品（２，２’）。
【請求項２７】
ローブ連結領域（２７２）の凹部および凸部（２７４，２７５）は、２次部品（２，２’）の軸（Ａ）に平行な側面領域を備えた個々の円筒の一部である、請求項２４〜２６のいずれかに記載の２次部品（２，２’）。
【請求項２８】
接続ローブ（２７１）の数およびローブ連結領域（２７２）の数は、６に等しい、請求項２４〜２７のいずれかに記載の２次部品（２，２’）。
【請求項２９】
安定化セクション（２２）は、歯冠方向に広がる円錐台として成形された少なくとも１つの根尖部分（２２２）を含み、
好ましくは、根尖部分（２２２）の歯冠開口は、２次部品（２，２’）の軸（Ａ）に対して５度〜７．９度、より好ましくは５度〜７．７度、さらにより好ましくは５度〜７度、最も好ましくは７度の角度を有する、請求項２４〜２８のいずれかに記載の２次部品（２，２’）。
【請求項３０】
安定化セクション（２２）はさらに、歯冠方向に広がる歯冠部分（２２１、２２１’）であって、安定化セクション（２２）の根尖部分（２２２）の外向き広がりセクションと比べて、より大きい外向き広がりセクションを有する歯冠部分（２２１、２２１’）を含んでもよく、例えば、２次部品（２、２’）の歯冠セクション（２１）の根尖端部において支持レッジ（２１３、２１３’）の形成を可能にする、請求項２９に記載の２次部品（２，２’）。
【請求項３１】
歯冠セクション（２１）はさらに、その上に歯科補綴物を回転方向に位置決めするための手段（２１２）を含む、請求項２４〜３０のいずれかに記載の２次部品（２，２’）。
【請求項３２】
安定化セクション（２２）の歯冠部分（２２１’）と安定化セクション（２２）の根尖部分（２２２）との間の界面には、ベベル面（２２３）が形成され、ベベル面（２２３）は、その周辺に向かって根尖側に傾斜している、請求項３０または３１に記載の２次部品（２’）。
【請求項３３】
ベベル面（２２３）は、２次部品（２’）の軸Ａに垂直な面に対して１７〜２７度の角度、より好ましくは２０〜２４度の角度、最も好ましくは２２．５度の角度を形成する、請求項３２に記載の２次部品（２’）。
【請求項３４】
２次部品（２，２’）は、単一の歯または歯科ブリッジを支持するためのアバットメントである、請求項２４〜３３のいずれかに記載の２次部品（２，２’）。
【請求項３５】
歯科インプラント（１，１’）のための挿入ツール（４）であって、
挿入ツール（４）は、長手方向を規定する長手方向軸（Ａ）を有し、
回転装置との接続のためのシャンク部（４１１）を有する歯冠セクション（４１）と、
歯科インプラント（１，１’）の内穴と係合するための根尖セクション（４２）とを含み、
根尖セクション（４２）は、歯冠から根尖へ、第１安定化セクション（４２１）および駆動セクション（４２２）を含み、
駆動セクション（４２２）には、凸形状を有し、長手方向に延びる複数の接続ローブ（４７１）が設けられ、
接続ローブ（４７１）は、長手方向に延びる個々のローブ連結領域（４７２）によって相互接続され、
ローブ連結領域（４７２）の各々は、実質的に凹形状を有する、挿入ツール（４）。
【請求項３６】
ローブ連結領域（４７２）は、長手方向に延びる、個々の接続ローブ（４７１）に近接する２つの凹部と、２つの凹部の間で長手方向に延びる凸部とを含む、請求項３５に記載の挿入ツール（４）。
【請求項３７】
接続ローブ（４７１）およびローブ連結領域（４７２）の両方は、駆動セクション（４２２）の軸方向延長部全体に実質的に沿って延びている、請求項３５または３６に記載の挿入ツール（４）。
【請求項３８】
接続ローブ（４７１）は、挿入ツール（４）の軸（Ａ）に平行な側面領域を備えた個々の円筒の一部であり、好ましくは、円筒部分は半円筒である、請求項３５〜３７のいずれかに記載の挿入ツール（４）。
【請求項３９】
ローブ連結領域（４７２）は、挿入ツール（４）の軸（Ａ）に平行な側面領域を備えた個々の円筒の一部であり、好ましくは、円筒部分は半円筒であり、あるいは、ローブ連結領域（４７２）の凹部および凸部は、挿入ツール（４）の軸（Ａ）に平行な側面領域を備えた個々の円筒の一部である、請求項３５〜３８のいずれかに記載の挿入ツール（４）。
【請求項４０】
接続ローブ（４７１）の数およびローブ連結領域（４７２）の数は、６に等しい、請求項３５〜３９のいずれかに記載の挿入ツール（４）。
【請求項４１】
第１安定化セクション（４２１）は、全体として、歯冠側に広がる円錐台として成形され、好ましくは、第１安定化セクション（４２１）の歯冠開口は、挿入ツール（４）の軸（Ａ）に対して５度〜７．９度、より好ましくは５度〜７．７度、さらにより好ましくは５度〜７度、最も好ましくは７度の角度を有する、請求項３５〜４０のいずれかに記載の挿入ツール（４）。
【請求項４２】
挿入ツール（４）の軸（Ａ）周りの周囲に形成された円形凹所（４８８）をさらに含み、円形凹所（４８８）は、駆動セクション（４２２）を歯冠部分（４２２１）と根尖部分（４２２２）に分割し、円形凹所（４８８）は、弾性ＯリングまたはスプリットＣリングを収容するように構成される、請求項３５〜４１のいずれかに記載の挿入ツール（４）。
【請求項４３】
駆動セクション（４２２）の根尖端部に配置され、挿入ツール（４）の根尖端部を画定する第２安定化セクション（４２３）をさらに含み、
第２安定化セクションは、好ましくは、円筒形状を有する、請求項３５〜４２のいずれかに記載の挿入ツール（４）。
【請求項４４】
歯冠セクション（４１）は、その歯冠領域において、回転機械と係合するように構成された係合エレメント（４１４）を含み、及び／又は、歯冠セクション（４１）は、その根尖領域において、手動トルク印加ツールと係合するように構成された手動ツール係合セクション（４１２）を含み、
好ましくは、手動ツール係合セクション（４１２）は、六角形であり、六角形の各側面は、挿入ツール（４）の軸断面に沿って複数の凹所（４１３）を含み、凹所（４１３）の各々は、実質的に円錐形状を有する、請求項３５〜４３のいずれかに記載の挿入ツール（４）。
【請求項４５】
請求項１〜２３のいずれかに記載の歯科インプラントと、
請求項２４〜３４のいずれかに記載の２次部品とを含む、歯科インプラントシステム。
【請求項４６】
請求項１〜２３のいずれかに記載の歯科インプラントと、
請求項２４〜３４のいずれかに記載の２次部品と、
請求項３５〜４４のいずれかに記載の挿入ツールとを含む、歯科インプラントシステム。
【請求項４７】
ねじ込み可能な２次部品（５）をさらに含み、ねじ込み可能な２次部品（５）は、軸対称な形状のセクションにおいて雌ねじ（５１）を含み、そのため、ねじ込み可能な２次部品（５）は、歯科インプラント（１，１’）の歯冠セクション（１１）の雄ねじセクション（１３）にねじ込み可能である、請求項４５または４６に記載の歯科インプラントシステム。
【請求項４８】
ねじ込み可能な２次部品（５）は、ねじ込み可能な２次部品（５）の長手方向軸（Ａ）に垂直な面に対して１７〜２７度の傾斜角度、より好ましくは２０〜２４度の角度、最も好ましくは２２．５度の角度を有する内部ベベル面を含む、請求項４７に記載の歯科インプラントシステム。
【請求項４９】
ねじ込み可能な２次部品（５）は、歯冠円筒セクション（５３）、ベベル円錐台形状セクション（５４）、および根尖円筒セクション（５５）を含む軸対称回転体の全体形状を有し、好ましくは、ねじ込み可能な２次部品の歯冠円筒セクション（５３）は、ねじ込み可能な２次部品（５）の根尖円筒セクション（５５）より直径が小さく、
ベベル円錐台形状セクション（５４）は、両者間に上部構造のための並置面を形成し、
さらに好ましくは、ベベル円錐台形状セクション（５４）は、２次部品（５）の軸（Ａ）に垂直な面に対して１７〜２７度の角度、より好ましくは２０〜２４度の角度、最も好ましくは２２．５度の角度を形成する、請求項４７または４８に記載の歯科インプラントシステム。
【請求項５０】
その長手方向軸（Ａ）に沿って回転対称な回転体として成形されたヒーリングキャップ（６）をさらに含み、ヒーリングキャップ（６）は、その歯冠端部に配置された拡大頭部（６２）を有し、
拡大頭部（６２）には、レンチ係合手段（６１）が設けられ、
ヒーリングキャップ（６）の拡大頭部（６２）は、さらに根尖側に、歯科インプラント（１，１’）の安定化セクション（１６）に正確に合致する安定化セクション（６３）が続いている、請求項４５〜４９のいずれかに記載の歯科インプラントシステム。
【請求項５１】
ヒーリングキャップ（６２）はさらに、安定化セクション（６３）から根尖側に、中間セクション（６４）と、
歯科インプラント（１，１’）の根尖雌ねじセクション（１８）の雌ねじ（１８２）と螺合するように構成されたねじセクション（６５）とを含む、請求項５０に記載の歯科インプラントシステム。
【請求項５２】
ヒーリングキャップ（６２）はさらに、安定化セクション（６３）から根尖側に、歯科インプラント（１，１’）の駆動割出しセクション（１７）の外形に追従する追加セクションを含む、請求項５０に記載の歯科インプラントシステム。
【請求項５３】
ヒーリングキャップ（６５）は、歯科インプラント（１，１’）の歯冠セクション（１１）の円滑セクション（１２）のベベル部分（１２１）の形状に正確に追従する内部ベベル面（６６）を含み、そのためヒーリングキャップ（６）の内部ベベル面は、ヒーリングキャップ（６）の長手方向軸（Ａ）に垂直な面に対して１７度〜２７度の角度、より好ましくは２０度〜２４度の角度、最も好ましくは２２．５度の角度を有する、請求項５０〜５２のいずれかに記載の歯科インプラントシステム。
【手続補正２】
【補正対象書類名】明細書
【補正対象項目名】００２７
【補正方法】変更
【補正の内容】
【００２７】
他の実施形態において、本発明は、歯科インプラントまたは歯科インプラントを含む歯科インプラントシステムで使用するための２次部品を提供しており、２次部品は、その長手方向軸に沿って延びる中央穴を有し、長手方向軸は長手方向を規定する。２次部品は、２次部品の歯冠端部を含む歯冠セクションと、歯冠セクションの根尖端部から根尖側に延びる安定化セクションであって、好ましくは、少なくともその根尖端部において、２次部品の歯冠方向に広がる円錐台のように全体的に成形される、安定化セクションと、安定化セクションの根尖端部から根尖側に延びる割出しセクションとを含み、割出しセクションには、凹形状を有し、長手方向に延びる複数の接続ローブが設けられ、接続ローブは、長手方向に延びる個々のローブ連結領域によって相互接続され、ローブ連結領域の各々は、長手方向に延びる、個々の接続ローブに近接する２つの凹部と、２つの凹部の間で長手方向に延びる凸部とを含む。
【手続補正３】
【補正対象書類名】明細書
【補正対象項目名】００３８
【補正方法】変更
【補正の内容】
【００３８】
好ましくは、挿入ツールの駆動セクションのローブ連結領域は、長手方向に延びる、その個々の接続ローブに近接する２つの凹部と、２つの凹部の間で長手方向に延びる凸部とを含む。
【手続補正４】
【補正対象書類名】明細書
【補正対象項目名】００４２
【補正方法】変更
【補正の内容】
【００４２】
代替として、挿入ツールの駆動セクションのローブ連結領域は、長手方向に延びる、その個々の接続ローブに近接した２つの凹部と、２つの凹部の間で長手方向に延びる凸部とを含む場合、ローブ連結領域の凹部および凸部は、挿入ツールの軸に平行な側面領域を備えた個々の円筒の一部である。
【手続補正５】
【補正対象書類名】明細書
【補正対象項目名】０１４６
【補正方法】変更
【補正の内容】
【０１４６】
連結ローブ４７１の数が６に等しい駆動セクション４２２の実施形態において、ローブ連結領域４７２の根尖部分（もしあれば）の数（そして明らかにローブ連結領域４７２の数）も６に等しい。明らかに、挿入ツール４の駆動セクション４２２においても、ローブ連結領域４７２が接続ローブ４７１の間に介在しているため、これらの個々の数は等しくなる。